(57)【要約】      （修正有）【課題】小型化、軽量化されたＦＰＣを用いて駆動用ＩＣの引出線に対して効果的な電磁遮蔽効果を発現し得、また簡易な構成のＦＰＣとすることにより製造コストを低減化し得るＬＣＤを提供する。【解決手段】ＬＣＤは、第１の基板１の一面の突出面１ａに設けられている半導体集積回路素子４と、突出面１ａの端部に設置されている信号配線５ａ及び接地配線７を有するＦＰＣ５と、半導体集積回路素子４と信号配線５ａとを電気的に接続する第１の引出線９と、半導体集積回路素子４と画素部とを電気的に接続する第２の引出線１０と、を有し、ＦＰＣ５は、半導体集積回路素子４側の部位に、第１の引出線９に平面視で重なり、半導体集積回路素子４及び第２の引出線１０の突出面１ａの部位に平面視で重ならない電磁遮蔽導電膜８を備えた延出部６を有しており、電磁遮蔽導電膜８は接地配線７に電気的に接続されている。【選択図】図１
2016142801.tif 000002
【特許請求の範囲】
【請求項１】
一面に複数の画素部を有する第１の基板と、その第１の基板の前記一面とそれに対向する面との間で液晶を挟持する第２の基板と、前記第１の基板の前記一面の端部が前記第２の基板から突出している突出面に設けられている前記画素部を駆動するための半導体集積回路素子と、前記突出面の端部に設置されている信号配線及び接地配線を有するフレキシブル回路基板と、前記半導体集積回路素子と前記信号配線とを電気的に接続するように前記突出面に形成されている第１の引出線と、前記半導体集積回路素子と前記画素部とを電気的に接続するように前記突出面から前記画素部にかけて形成されている第２の引出線と、を有する液晶表示装置であって、前記フレキシブル回路基板は、前記半導体集積回路素子側の部位に、前記第１の引出線に平面視で重なるとともに前記半導体集積回路素子及び前記第２の引出線の前記突出面の部位に平面視で重ならない電磁遮蔽導電膜を備えた延出部を有しており、前記電磁遮蔽導電膜は、前記接地配線に電気的に接続されている液晶表示装置。
【請求項２】
前記第２の基板は、前記液晶側の面と対向する表示側の面に透明導電膜が形成されており、前記フレキシブル回路基板は、前記延出部に、一端側が前記電磁遮蔽導電膜に電気的に接続され他端側が前記透明導電膜に電気的に接続されている中継導電膜を備えた他の延出部が形成されている請求項１に記載の液晶表示装置。
【請求項３】
前記延出部は、前記半導体集積回路素子及び前記第２の引出線の前記突出面の部位に平面視で重なる絶縁部を有している請求項１または請求項２に記載の液晶表示装置。
【発明の詳細な説明】
【技術分野】
【０００１】
本発明は、表示パネルの画像表示の駆動制御等を行う半導体集積回路素子としての駆動用ＩＣ，ＬＳＩと、駆動用ＩＣ，ＬＳＩに駆動信号、制御信号等を入出力するためのフレキシブル回路基板（Flexible  Printed  Circuits  ：ＦＰＣ）と、を有する液晶表示装置（Liquid  Crystal  Display  ：ＬＣＤ）に関するものである。
【背景技術】
【０００２】
従来のＬＣＤの１例を図７（ａ），（ｂ）に示す。従来、ＬＣＤは、ＴＦＴ素子４２を含む画素部４４が多数形成されたアレイ側基板３１と、カラーフィルタ及びブラックマトリクスが形成されたカラーフィルタ側基板３２とを互いに対向させて、それらの基板を所定の間隔でもって貼り合わせ、それらの基板間に液晶４８を充填、封入させることによって作製される。また、一般的に、カラーフィルタ側基板３２は、ＴＦＴ素子４２及び画素電極４３に対向する側の面（液晶４８側の面）の全面に、画素電極４３との間で液晶４８に印加する垂直電界を形成するための共通電極４７が形成されている。また、ＬＣＤが画素電極４３と共通電極４７との間で液晶４８に印加する横電界を形成するＩＰＳ（In-Plane  Switching）方式のＬＣＤである場合、共通電極はアレイ側基板３１の画素電極４３と同じ面内に形成される。ＬＣＤが画素電極４３と共通電極との間で液晶に印加する端部電界を形成するＦＦＳ（Fringe  Field  Switching）方式のＬＣＤである場合、共通電極はアレイ側基板３１の画素部４４に画素電極４３の上方または下方に絶縁層を挟んで形成される。また、カラーフィルタ側基板３２の液晶４８側の面には、それぞれの画素部４４に対応する赤（Ｒ）、緑（Ｇ）、青（Ｂ）のカラーフィルタ４５が形成されており、それぞれの画素部４４を通過する光が相互に干渉することを防ぐブラックマトリクスがカラーフィルタ４５の外周を囲むように形成されている。なお、図７（ｂ）において、４６はカラーフィルタ４５と共通電極４７との間に介在するように形成されている絶縁層、３３はカラーフィルタ側基板３２の表示側の面に形成されたＩＴＯ（Indium  Tin  Oxide）等から成る透明導電膜である。
【０００３】
また、アレイ側基板３１の液晶４８側の面におけるカラーフィルタ側基板３２から突出している突出面31aには、液晶表示パネルの画像表示の駆動制御等を行う半導体集積回路素子としての駆動用ＩＣ３４がチップオングラス（Chip  On  Glass  ：ＣＯＧ）方式等の実装方法により搭載されており、さらに駆動用ＩＣ３４に外部から駆動信号、制御信号等を入出力するＦＰＣ３５が、突出面31aの端部に設置されている。突出面31aは、駆動用ＩＣ３４からＦＰＣ３５の信号配線35aに電気的に接続される電極端子にかけてＦＰＣ３５側の第１の引出線３９が形成されており、駆動用ＩＣ３４からＴＦＴ素子４２、画素電極４３にかけて液晶表示パネル側の第２の引出線４０が形成されている。なお、一般に第１の引出線３９は、第２の引出電４０と比較して、クロック信号、ビデオ信号、低電圧差動信号（Low  Voltage  Differential  Signaling  ：ＬＶＤＳ）等の周波数の高い信号（周波数が数１０ＭＨｚ以上の信号）を伝送し、第２の引出電４０は１Ｈ（水平走査期間）に相当する周波数（31.5ｋＨｚ等）などの周波数の低い信号を伝送する。
【０００４】
また、ＦＰＣ３５は駆動用ＩＣ３４側に延出する延出部３６を有しており、延出部３６は駆動用ＩＣ３４の上方にあって駆動用ＩＣ３４を覆うとともに、その端部が透明導電膜３３に達している。また延出部３６は、駆動用ＩＣ３４、第１の引出線３９及び第２の引出線４０に外部から電磁的ノイズが入り込んで電気的に重畳することを防ぐための銅（Ｃｕ）箔等から成る電磁遮蔽用の導電膜３８を有しており、導電膜３８はＦＰＣ３５の接地配線３７に接続されている。さらに延出部３６は、導電膜３８の端部が異方性導電膜（Anisotropic  Conductive  Film  ：ＡＣＦ）、導電性樹脂等から成る導電接続部材４１を介して透明導電膜３３に電気的に接続されている。これにより、ＦＰＣ３５の延出部３６によって液晶表示パネルの接地をとることもでき、例えば液晶表示パネルの静電気を効果的に放電させるための静電気放電（Electro-Static  Discharge  ：ＥＳＤ）対策にも有効なＬＣＤとなる。
【先行技術文献】
【特許文献】
【０００５】
【特許文献１】特開平７−２７０８１４号公報
【発明の概要】
【発明が解決しようとする課題】
【０００６】
しかしながら、図７に示す上記従来のＬＣＤにおいては、第１の引出線３９は周波数の高い信号を伝送するために外部の電磁的ノイズの影響を受けやすいのに対して、第１の引出線３９に比較して周波数が低い信号を伝送する第２の引出線４０は、導電膜３８による電磁遮蔽効果が発現しにくい部位である。また、駆動用ＩＣ３４も予め半導体集積回路部が樹脂絶縁材等によって覆われているために導電膜３８による電磁遮蔽効果が発現しにくい部位である。これらの導電膜３８による電磁遮蔽効果が発現しにくい部位まで延出部３６及び導電膜３８によって覆っているために、ＦＰＣ３５が高さ方向に大型化し、また軽量化に不利である。また、ＦＰＣ３５の構造が複雑化するのでＬＣＤの製造コストが増大するという問題点があった。また、特許文献１には、ＦＰＣを液晶表示パネルの各入力配線の基端部の部分に接続したＬＣＤが開示されているが、このような構成のＬＣＤは、ＦＰＣが駆動用ＩＣの入力配線に対して電磁遮蔽効果を殆ど発現し得ないという問題点があった。
【０００７】
本発明は、上記の問題点に鑑みて完成されたものであり、その目的は、小型化、軽量化されたＦＰＣを用いて駆動用ＩＣの引出線に対して効果的な電磁遮蔽効果を発現して半導体集積回路素子の誤動作を抑制し得るＬＣＤとすること、また簡易な構成のＦＰＣとすることにより製造コストを低減化し得るＬＣＤとすることである。
【課題を解決するための手段】
【０００８】
本発明の液晶表示装置は、一面に複数の画素部を有する第１の基板と、その第１の基板の前記一面とそれに対向する面との間で液晶を挟持する第２の基板と、前記第１の基板の前記一面の端部が前記第２の基板から突出している突出面に設けられている前記画素部を駆動するための半導体集積回路素子と、前記突出面の端部に設置されている信号配線及び接地配線を有するフレキシブル回路基板と、前記半導体集積回路素子と前記信号配線とを電気的に接続するように前記突出面に形成されている第１の引出線と、前記半導体集積回路素子と前記画素部とを電気的に接続するように前記突出面から前記画素部にかけて形成されている第２の引出線と、を有する液晶表示装置であって、前記フレキシブル回路基板は、前記半導体集積回路素子側の部位に、前記第１の引出線に平面視で重なるとともに前記半導体集積回路素子及び前記第２の引出線の前記突出面の部位に平面視で重ならない電磁遮蔽導電膜を備えた延出部を有しており、前記電磁遮蔽導電膜は、前記接地配線に電気的に接続されている構成である。
【０００９】
本発明の液晶表示装置は、好ましくは、前記第２の基板は、前記液晶側の面と対向する表示側の面に透明導電膜が形成されており、前記フレキシブル回路基板は、前記延出部に、一端側が前記電磁遮蔽導電膜に電気的に接続され他端側が前記透明導電膜に電気的に接続されている中継導電膜を備えた他の延出部が形成されている。
【００１０】
また本発明の液晶表示装置は、好ましくは、前記延出部は、前記半導体集積回路素子及び前記第２の引出線の前記突出面の部位に平面視で重なる絶縁部を有している。
【発明の効果】
【００１１】
本発明の液晶表示装置は、一面に複数の画素部を有する第１の基板と、その第１の基板の一面とそれに対向する面との間で液晶を挟持する第２の基板と、第１の基板の一面の端部が第２の基板から突出している突出面に設けられている画素部を駆動するための半導体集積回路素子と、突出面の端部に設置されている信号配線及び接地配線を有するフレキシブル回路基板と、半導体集積回路素子と信号配線とを電気的に接続するように突出面に形成されている第１の引出線と、半導体集積回路素子と画素部とを電気的に接続するように突出面から画素部にかけて形成されている第２の引出線と、を有する液晶表示装置であって、フレキシブル回路基板は、半導体集積回路素子側の部位に、第１の引出線に平面視で重なるとともに半導体集積回路素子及び第２の引出線の突出面の部位に平面視で重ならない電磁遮蔽導電膜を備えた延出部を有しており、電磁遮蔽導電膜は、接地配線に電気的に接続されていることから、以下のような効果を奏する。即ち、フレキシブル回路基板の延出部の電磁遮蔽導電膜は、第１の引出線に平面視で重なるが、電磁遮蔽導電膜による電磁遮蔽効果が発現しにくい半導体集積回路素子及び第２の引出線の突出面の部位には平面視で重ならないために、電磁遮蔽導電膜及び延出部を小型化及び軽量化することができる。従って、小型化及び軽量化されたフレキシブル回路基板を用いて半導体集積回路素子の第１の引出線に対して効果的な電磁遮蔽効果を発現して、半導体集積回路素子の誤動作を抑制し得る液晶表示装置とすることができる。また、簡易な構成のフレキシブル回路基板とすることにより液晶表示装置の製造コストを低減化することができる。
【００１２】
本発明の液晶表示装置は、好ましくは、第２の基板は、液晶側の面と対向する表示側の面に透明導電膜が形成されており、フレキシブル回路基板は、延出部に、一端側が電磁遮蔽導電膜に電気的に接続され他端側が透明導電膜に電気的に接続されている中継導電膜を備えた他の延出部が形成されていることから、例えば帯電した液晶表示パネルの電荷を透明導電膜、中継導電膜、電磁遮蔽導電膜及び接地配線を通して外部に逃がすことができ、ＥＳＤ対策に有効な液晶表示装置となる。
【００１３】
また本発明の液晶表示装置は、好ましくは、延出部は、半導体集積回路素子及び第２の引出線の突出面の部位に平面視で重なる絶縁部を有していることから、帯電した液晶表示パネルの電荷が半導体集積回路素子に放電されて半導体集積回路部が破損することを抑えることができる。即ち、帯電した液晶表示パネルの電荷が放電されたとしても、電荷は前記絶縁部に移り電磁遮蔽導電膜を介して減衰するので、半導体集積回路素子に電荷が放電されることを抑えることができる。
【図面の簡単な説明】
【００１４】
【図１】図１（ａ），（ｂ）は、本発明の液晶表示装置について実施の形態の１例を示す図であり、（ａ）はフレキシブル回路基板の折り返す前の延出部を示す液晶表示パネルの半導体集積回路素子の部位及びフレキシブル回路基板の平面図、（ｂ）はフレキシブル回路基板の折り返した後の延出部を示す液晶表示パネルの半導体集積回路素子の部位及びフレキシブル回路基板の平面図である。
【図２】図２は、図１（ｂ）の状態の液晶表示装置の側断面図である。
【図３】図３（ａ），（ｂ）は、本発明の液晶表示装置について実施の形態の他例を示す図であり、（ａ）はフレキシブル回路基板の折り返す前の延出部を示す液晶表示パネルの半導体集積回路素子の部位及びフレキシブル回路基板の平面図、（ｂ）はフレキシブル回路基板の折り返した後の延出部を示す液晶表示パネルの半導体集積回路素子の部位及びフレキシブル回路基板の平面図である。
【図４】図４は、図３（ｂ）の状態の液晶表示装置の側断面図である。
【図５】図５（ａ），（ｂ）は、本発明の液晶表示装置について実施の形態の他例を示す図であり、（ａ）はフレキシブル回路基板の折り返す前の延出部を示す液晶表示パネルの半導体集積回路素子の部位及びフレキシブル回路基板の平面図、（ｂ）はフレキシブル回路基板の折り返した後の延出部を示す液晶表示パネルの半導体集積回路素子の部位及びフレキシブル回路基板の平面図である。
【図６】図６は、図５（ｂ）の状態の液晶表示装置の側断面図である。
【図７】図７（ａ），（ｂ）は、従来の液晶表示装置の１例を示す図であり、（ａ）は液晶表示パネルの半導体集積回路素子の部位及びフレキシブル回路基板の平面図、（ｂ）は（ａ）の液晶表示装置の側断面図である。
【発明を実施するための形態】
【００１５】
以下、本発明のＬＣＤの実施の形態について、図面を参照しながら説明する。但し、以下で参照する各図は、本発明のＬＣＤの実施の形態における構成部材のうち、本発明のＬＣＤを説明するための主要部を示している。従って、本発明に係るＬＣＤは、図に示されていない回路基板、配線導体、制御ＩＣ，ＬＳＩ等の周知の構成部材を備えていてもよい。
【００１６】
図１（ａ），（ｂ）は、本発明のＬＣＤについて実施の形態の１例を示す図であり、（ａ）はＦＰＣの折り返す前の延出部を示す液晶表示パネルの半導体集積回路素子の部位及びＦＰＣの平面図、（ｂ）はＦＰＣの折り返した後の延出部を示す液晶表示パネルの半導体集積回路素子の部位及びＦＰＣの平面図である。また図２は、図１（ｂ）の状態のＬＣＤの側断面図である。図１、図２に示すように、本発明のＬＣＤは、一面に複数の画素部２４を有する第１の基板１と、その第１の基板１の一面とそれに対向する面との間で液晶２８を挟持する第２の基板２と、第１の基板１の前記一面が第２の基板２から突出している突出面１ａに設けられている画素部２４を駆動するための駆動用ＩＣ，ＬＳＩ等の半導体集積回路素子４と、突出面１ａの端部に設置されている信号配線５ａ及び接地配線７を有するＦＰＣ５と、半導体集積回路素子４と信号配線５ａとを電気的に接続するように突出面１ａに形成されている第１の引出線９と、半導体集積回路素子４と画素部２４とを電気的に接続するように突出面１ａから画素部４にかけて形成されている第２の引出線１０と、を有するＬＣＤであって、ＦＰＣ５は、半導体集積回路素子４側の部位に、第１の引出線９に平面視で重なるとともに半導体集積回路素子４及び第２の引出線１０の突出面１ａの部位に平面視で重ならない電磁遮蔽導電膜８を備えた延出部６を有しており、電磁遮蔽導電膜８は、接地配線７に電気的に接続されている構成である。
【００１７】
上記の構成により、ＦＰＣ５の延出部６の電磁遮蔽導電膜８は、第１の引出線９に平面視で重なるが、電磁遮蔽導電膜８による電磁遮蔽効果が発現しにくい半導体集積回路素子４及び第２の引出線１０の突出面１ａの部位には平面視で重ならないために、電磁遮蔽導電膜８及び延出部６を小型化及び軽量化することができる。従って、小型化及び軽量化されたＦＰＣ５を用いて半導体集積回路素子４の第１の引出線９に対して効果的な電磁遮蔽効果を発現して、半導体集積回路素子４の誤動作を抑制し得るＬＣＤとすることができる。また、簡易な構成のＦＰＣ５とすることによりＬＣＤの製造コストを低減化することができる。なお、一般に、第１の引出線９によって伝送される信号の周波数は６０ＭＨｚ程度以上であり、第２の引出線１０によって伝送される信号の周波数は、例えばＬＣＤがＸＧＡの解像度であれば５０ｋＨｚ程度であり、第１の引出線９の方が第２の引出線１０と比較して外部の電磁的ノイズが重畳しやすい。なお、図１の構成において延出部６は、折り返されることによって、第１の引出線９に平面視で重なるとともに半導体集積回路素子４及び第２の引出線１０の突出面１ａの部位に平面視で重ならない電磁遮蔽導電膜８を有する構成とされているが、必ずしも折り返すものである必要はなく、延出部６はＦＰＣ５の半導体集積回路素子４側の端部がそのまま延出したものであってもよい。
【００１８】
また本発明のＬＣＤは詳細には以下のような構成を有する。ＴＦＴ素子２２を含む画素部２４が多数形成された第１の基板１としてのアレイ側基板と、カラーフィルタ及びブラックマトリクスが形成された第２の基板２としてのカラーフィルタ側基板とを互いに対向させて、それらの基板を所定の間隔でもって貼り合わせ、それらの基板間に液晶２８を充填、封入させることによって作製される。また、一般的に、カラーフィルタ側基板は、ＴＦＴ素子２２及び画素電極２３に対向する側の面（液晶２８側の面）の全面に、画素電極２３との間で液晶２８に印加する垂直電界を形成するための共通電極２７が形成されている。また、ＬＣＤが画素電極２３と共通電極との間で液晶２８に印加する横電界を形成するＩＰＳ（In-Plane  Switching）方式のＬＣＤである場合、共通電極２７はアレイ側基板の画素電極２３と同じ面内に形成される。ＬＣＤが画素電極２３と共通電極２７との間で液晶２８に印加する端部電界を形成するＦＦＳ（Fringe  Field  Switching）方式のＬＣＤである場合、共通電極２７はアレイ側基板の画素部２４に画素電極２３の上方または下方に絶縁層を挟んで形成される。また、カラーフィルタ側基板の液晶２８側の面には、それぞれの画素部２４に対応する赤（Ｒ）、緑（Ｇ）、青（Ｂ）のカラーフィルタ２５が形成されており、それぞれの画素部２４を通過する光が相互に干渉することを防ぐブラックマトリクスがカラーフィルタ２５の外周を囲むように形成されている。なお、図４において、２６はカラーフィルタ２５と共通電極２７との間に介在するように形成されている絶縁層、３はカラーフィルタ側基板の表示側の面に形成されたＩＴＯ（Indium  Tin  Oxide）等から成る透明導電膜である。また、図２、図６に示すＬＣＤは、カラーフィルタ側基板のＴＦＴ素子２２及び画素電極２３に対向する側の面（液晶２８側の面）の全面に、画素電極２３との間で液晶２８に印加する垂直電界を形成するための共通電極２７が形成されているＴＮ型のものであり、電磁遮蔽膜としての透明導電膜３を有していない。一方、図４、図７（ｂ）に示すＬＣＤは、共通電極２７がアレイ側基板の画素電極２３と同じ面内に形成されているＩＰＳ型のものであり、電磁遮蔽膜としての透明導電膜３を有している。
【００１９】
この透明導電膜３は、インジウム錫酸化物（ＩＴＯ）、インジウム亜鉛酸化物（ＩＺＯ）、酸化珪素を添加したインジウム錫酸化物（ＩＴＳＯ）、酸化亜鉛（ＺｎＯ）、リンやボロンを含むシリコン（Ｓｉ）等の透光性を有する導電性材料から成る。
【００２０】
また、アレイ側基板の液晶４８側の面におけるカラーフィルタ側基板から突出している突出面１ａには、液晶表示パネルの画像表示の駆動制御等を行う駆動用ＩＣ，ＬＳＩ等の半導体集積回路素子４がチップオングラス（Chip  On  Glass  ：ＣＯＧ）方式等の実装方法により搭載されており、さらに半導体集積回路素子４に外部から駆動信号、制御信号等を入出力するＦＰＣ５が、突出面１ａの端部に設置されている。突出面１ａは、半導体集積回路素子４からＦＰＣ５の信号配線５ａに電気的に接続される電極端子にかけてＦＰＣ５側の第１の引出線９が形成されており、半導体集積回路素子４からＴＦＴ素子４２、画素電極４３にかけて液晶表示パネル側の第２の引出線１０が形成されている。
【００２１】
本発明のＬＣＤは、延出部６を折り返す前は、第１の引出線９が外部から視認できるために、ＦＰＣ５の信号配線５ａと第１の引出線９のＦＰＣ５側の端部にある電極端子とを位置合わせして電気的に接続することが容易になり、ＦＰＣ５の突出面１ａへの設置に有利である。そして、ＦＰＣ５を突出面１ａに設置した後に延出部６を折り返すことにより、電磁遮蔽導電膜８による第１の引出線９に対する電磁遮蔽効果を発現させ得る。また延出部６は、折り返された後にその先端部をＦＰＣ５の本体部に接着剤等によって固定して、折り返された延出部６の状態を保持することもできる。
【００２２】
またＦＰＣ５は、好適には矩形状等の多角形状であり、半導体集積回路素子４側の一辺の端部に延出部６があることがよい。延出部６は、折り返す前は前記一辺にほぼ平行な方向で第１の引出線９から離れる方向に延びるように形成されており、折り返されることによって、平面視で第１の引出線９に重なるように位置する。
【００２３】
またＦＰＣ５は、延出部６の折り返し部における電磁遮蔽導電膜８に、円形、楕円形、四角形等の平面視形状の電磁遮蔽導電膜８の非形成部を折り返し線上に断続的に形成することがよい。この場合、延出部６の折り返しが容易になり、折り返しの作業性が向上する。さらに、接地配線７と電磁遮蔽導電膜８の接続部であって折り返し線近傍の接地配線７側に、電磁遮蔽導電膜８の部分非形成部を形成することがよい。すなわち、電磁遮蔽導電膜８の接地配線７側の根元部を部分的に細くなるように形成することがよい。この場合、延出部６の折り返しがより容易になり、折り返しの作業性がより向上する。
【００２４】
本発明のＬＣＤにおける電磁遮蔽導電膜８は、アルミニウム（Ａｌ），銅（Ｃｕ），銀（Ａｇ），ニッケル（Ｎｉ），クロム（Ｃｒ），亜鉛（Ｚｎ），鉄（Ｆｅ），タンタル（Ｔａ），タングステン（Ｗ），チタン（Ｔｉ），モリブデン（Ｍｏ）等から選ばれた元素から成る金属材料、またはこれらの元素を主成分として含む、ステンレススチール，銅亜鉛（Ｃｕ−Ｚｎ）合金等の合金材料を用いて形成される。また電磁遮蔽導電膜８は、透光性が必要な場合、インジウム錫酸化物（ＩＴＯ）、インジウム亜鉛酸化物（ＩＺＯ）、酸化珪素を添加したインジウム錫酸化物（ＩＴＳＯ）、酸化亜鉛（ＺｎＯ）、リンやボロンを含むシリコン（Ｓｉ）等の透光性を有する導電性材料を用いることができる。
【００２５】
また電磁遮蔽導電膜８は、厚み５μｍ〜５０μｍ程度の金属箔の形態が一例として考えられる。あるいは薄膜の形態であってもよい。電磁遮蔽導電膜８が薄膜から成る場合、スパッタリング法、ＣＶＤ法等の薄膜形成法、めっき法等によって形成し得る。
【００２６】
また電磁遮蔽導電膜８は、ポリエチレンテレフタレート（ＰＥＴ），アクリル樹脂，ポリイミド，ポリアミド，ポリイミドアミド，ベンゾシクロブテン等の樹脂絶縁材料から成る絶縁シートの内部に層状に形成されていてもよく、または箔状の電磁遮蔽導電膜８あるいは薄膜状の電磁遮蔽導電膜８が絶縁シートの表面に設けられていてもよい。電磁遮蔽導電膜８が絶縁シートの表面に設けられている場合、外部の電磁的ノイズを電磁遮蔽するためには、絶縁シートの第１の引出線９側の面と対向する面（図２では上面）に電磁遮蔽導電膜８が設けられていることがよい。
【００２７】
図３（ａ），（ｂ）は、本発明のＬＣＤについて実施の形態の他例を示す図であり、（ａ）はＦＰＣの折り返す前の延出部を示す液晶表示パネルの半導体集積回路素子の部位及びＦＰＣの平面図、（ｂ）はＦＰＣの折り返した後の延出部を示す液晶表示パネルの半導体集積回路素子の部位及びＦＰＣの平面図である。図４は、図３（ｂ）の状態のＬＣＤの側断面図である。図３、図４に示すように、本発明のＬＣＤは、第２の基板２は、液晶２８側の面と対向する表示側の面に透明導電膜３が形成されており、ＦＰＣ５は、延出部６に、一端側が電磁遮蔽導電膜８に電気的に接続され他端側が透明導電膜３に電気的に接続されている中継導電膜１２を備えた他の延出部１１が形成されていることが好ましい。この場合、例えば帯電した液晶表示パネルの電荷を透明導電膜３、中継導電膜１２、電磁遮蔽導電膜８及び接地配線７を通して外部に逃がすことができ、ＥＳＤ対策に有効なＬＣＤとなる。
【００２８】
他の延出部１１に備えられた中継導電膜１２は、電磁遮蔽導電膜８と同様の材料から成り、電磁遮蔽導電膜８と同様の構成として形成し得る。中継導電膜１２の液晶表示パネル側の先端部は、ＡＣＦ，導電性樹脂等から成る導電接続部材１３を介して透明導電膜３に電気的に接続されている。
【００２９】
図５（ａ），（ｂ）は、本発明のＬＣＤについて実施の形態の他例を示す図であり、（ａ）はＦＰＣの折り返す前の延出部を示す液晶表示パネルの半導体集積回路素子の部位及びＦＰＣの平面図、（ｂ）はＦＰＣの折り返した後の延出部を示す液晶表示パネルの半導体集積回路素子の部位及びＦＰＣの平面図である。図６は、図５（ｂ）の状態のＬＣＤの側断面図である。図５、図６に示すように、本発明のＬＣＤは、延出部１６は、半導体集積回路素子４及び第２の引出線１０の突出面１ａの部位に平面視で重なる絶縁部16aを有していることから、帯電した液晶表示パネルの電荷が半導体集積回路素子４に放電されて半導体集積回路部が破損することを抑えることができる。即ち、帯電した液晶表示パネルの電荷が放電されたとしても、電荷は絶縁部16aに移り電磁遮蔽導電膜８を介して減衰するので、半導体集積回路素子４に電荷が放電されることを抑えることができる。
【００３０】
延出部１６の少なくとも絶縁部16aは、透光性を有していることが好ましい。この場合、半導体集積回路素子４及び第２の引出線１０を外部から視認することができ、ＬＣＤの点検、修理、保守に有利である。
【００３１】
なお、本発明のＬＣＤは、上記実施の形態に限定されるものではなく、適宜の設計的な変更、改良を含んでいてもよい。
【産業上の利用可能性】
【００３２】
本発明のＬＣＤは各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、コピー機、現金自動預け入れ払い機（ＡＴＭ）、自動販売機、ヘッドアップディスプレイ装置、プロジェクタ装置、デジタル表示式腕時計、頭部装着型画像表示装置（Head  Mounted  Display  device  ：ＨＭＤ）などがある。
【符号の説明】
【００３３】
１  第１の基板
２  第２の基板
３  透明導電膜
４  半導体集積回路素子
５  ＦＰＣ
５ａ  信号配線
６  延出部
７  接地配線
８  電磁遮蔽導電膜
９  第１の引出線
１０  第２の引出線
【図１】
2016142801.tif 000003
【図２】
2016142801.tif 000004
【図３】
2016142801.tif 000005
【図４】
2016142801.tif 000006
【図５】
2016142801.tif 000007
【図６】
2016142801.tif 000008
【図７】
2016142801.tif 000009